【手続補正書】
【提出日】平成27年4月3日(2015.4.3)
【手続補正１】
【補正対象書類名】明細書
【補正対象項目名】００１３
【補正方法】変更
【補正の内容】
【００１３】
好都合には、上記のハウジング又はそれに関連付けられた構成部品は、ランセット保持部拘束要素を含んでおり、ランセット保持部拘束要素は、ランセット保持部拘束要素が上記のランセット保持部の前方への移動を阻止する阻止位置と、ランセット保持部の前方への移動が阻止されない自由位置との間を移動可能である。上記のランセット解放要素は、上記のランセット解放要素が移動されてランセットを解放するときに上記のランセット保持部拘束要素と係合してランセット保持部拘束要素を阻止位置まで移動させる制御面を含みうる。
【手続補正２】
【補正対象書類名】明細書
【補正対象項目名】００２３
【補正方法】変更
【補正の内容】
【００２３】
従って、別の態様において、発明者らは、ハウジングと、使用中にランセットを受容する前方部分を有していてハウジング内に移動可能に装着されるランセット保持部と、ランセット保持部からのランセットの解放を可能にするように移動されるランセット解放要素と、駆動バネの作用による上記のランセット保持部の移動に対して上記のランセット保持部をラッチ留めする動作、及び上記のランセット保持部が駆動バネの作用によって移動するように上記のランセット保持部を解放する動作を実行可能であるトリガ配列体とを有する穿刺デバイスを提供する。上記のトリガ配列体は、上記のランセット保持部がラッチ留めされるときに、発射準備が完了した起動可能状態（ａｒｍｅｄ  ｐｏｓｉｔｉｏｎ）に移動するトリガ要素を備えている。ランセット保持部がラッチ留めされてトリガ配列体が起動可能状態にされると、トリガ配列体が上記のランセット解放要素の有効な移動を阻止する。
【手続補正３】
【補正対象書類名】特許請求の範囲
【補正対象項目名】全文
【補正方法】変更
【補正の内容】
【特許請求の範囲】
【請求項１】
ハウジング（１０，１２）と、
穿刺方向に移動するように前記ハウジング内に移動可能に装着されるランセット保持部（２４）と、を備える穿刺デバイスであって、
前記ランセット保持部は、ランセットの後方部分を部分的に包囲するとともにランセットの後方部分を使用中に保持するソケット（３０）を形成している前方部分を有しており、
前記ソケットは、前記ランセットの挿入及び取外しの少なくともいずれか一方が可能となるように拡張されることができ、
さらに、
前記穿刺方向に対して平行な方向において静止位置と解放位置との間を移動可能であり、それにより、前記ソケットがランセット保持状態と拡張状態との間において移動させられるようになるランセット解放要素（４０，４２）と、を備える穿刺デバイス。
【請求項２】
前記ソケットは、弾性材料から形成される円筒状の壁部によって構成されており、
前記円筒状の壁部は、弾性的な拡張及び収縮の少なくともいずれか一方を可能にするスロット（３２）を有する、請求項１に記載の穿刺デバイス。
【請求項３】
前記円筒状の壁部は、前記スロット（３２）の両側に１つずつ離間して配置された半径方向外向きに延在する当接部（３４，３６）を備えており、
前記ランセット解放要素（４０，４２）は、前記当接部と協働するそれぞれのカム面（４４）を有しており、それにより、前記ランセット解放要素（４０，４２）の移動が、前記ランセット保持状態と前記拡張状態との間における前記ソケットの移動を引き起こすようになる、請求項２に記載の穿刺デバイス。
【請求項４】
前記ランセット解放要素（４０，４２）は、前記ソケットを拡張するように静止位置から前方に移動可能である、請求項１〜３のいずれか１つに記載の穿刺デバイス。
【請求項５】
前記ランセット解放要素（４０，４２）は、前記ランセットを発射可能にするように付加的に後方に移動可能である、請求項４に記載の穿刺デバイス。
【請求項６】
前記ランセット解放要素の前記解放位置に向かう移動によって、前記ランセット保持部（２４）の前方への移動が抑制され又は制限される、請求項１〜５のいずれか１つに記載の穿刺デバイス。
【請求項７】
ハウジング（１０，１２）と、
使用中にランセットを受容する前方部分を有していて前記ハウジング内に移動可能に装着されるランセット保持部（２４）と、
前記ランセット保持部からのランセットの解放を可能にするように移動されるランセット解放要素（４０，４２）と、を備える穿刺デバイスであって、
前記ランセット解放要素（４０，４２）が移動してランセットを解放することによって、前記ランセット保持部の前方への移動が阻止され又は制限される、穿刺デバイス。
【請求項８】
前記ハウジング（１０，１２）又は前記ハウジング（１０，１２）に関連付けられた構成部品は、ランセット保持部拘束要素（５６）を含んでおり、
前記ランセット保持部拘束要素（５６）は、前記ランセット保持部拘束要素（５６）が前記ランセット保持部（２４）の前方への移動を阻止する阻止位置と、前記ランセット保持部（２４）の前方への移動が阻止されない自由位置との間を移動可能である、請求項７に記載の穿刺デバイス。
【請求項９】
前記ランセット解放要素（４０，４２）は、前記ランセット解放要素が移動されてランセットを解放するときに前記ランセット保持部拘束要素（５６）と係合して前記ランセット保持部拘束要素（５６）の阻止位置まで移動する制御面（６２）を有する、請求項８に記載の穿刺デバイス。
【請求項１０】
前記穿刺デバイスは、駆動バネの作用による前記ランセット保持部（２４）の移動に対して前記ランセット保持部（２４）をラッチ留めする動作、及びランセット保持部（２４）が駆動バネの作用によって移動するように前記ランセット保持部（２４）を解放する動作を実行可能であるトリガ配列体（５４）を備えており、
前記ランセット保持部拘束要素（５６）が前記トリガ配列体（５４）の一部になっている、請求項８または９に記載の穿刺デバイス。
【請求項１１】
本体部分（１０）及び前方ノーズ部分（１２）を有するハウジングを備えた穿刺デバイスであって、
前記前方ノーズ部分（１２）は、ランセットの装填及び除去を使用中に可能にするように取外し可能かつ交換可能であり、
さらに、
使用中にランセットを受容する前方部分を有していて前記ハウジングに移動可能に装着されるランセット保持部（２４）と、
静止位置と解放位置との間を移動可能なランセット解放要素（４０，４２）と、を備えており、
前記前方ノーズ部分（１２）が前記本体部分に連結されるときに、前記ランセット解放要素（４０，４２）の解放位置への移動が前記前方ノーズ部分（１２）によって防止され又は阻害される、穿刺デバイス。
【請求項１２】
前記ランセット解放要素（４０，４２）は、前記前方ノーズ部分（１２）と協働して移動を防止するように形成された長尺状の延在部（６５）を含んでいて長手方向に移動可能である、請求項１１に記載の穿刺デバイス。
【請求項１３】
ハウジング（１０，１２）と、
前記ハウジングに配置された移動可能な挿入要素と、を含む皮膚穿通デバイスであって、
前記挿入要素は、鋭利な先端を有していてレシピエントの皮膚に挿通されるように形成されており、
さらに、
前記ハウジングの一部を形成しているか又は前記ハウジングに固着されている第１の相対固定部分（６６）を有する深さ穿通配列体と、
軸線回りにおいて角度方向に移動するように前記相対固定部分に装着される皮膚接触部分（７０）と、を備えており、
前記相対固定部分（６６）及び前記皮膚接触部分（７０）のうちのいずれか一方が断続的なカム面（６１，６３）を有しており、また、前記相対固定部分（６６）及び前記皮膚接触部分（７０）のうちの他方が前記カム面と協働するように形成されたカム従動子（８８）を有しており、それにより、前記皮膚接触部分及び前記相対固定部分が相対的に回転すると、前記皮膚接触部分及び前記相対固定部分の軸線方向における相対的な位置が変化するようになる、皮膚穿通デバイス。
【請求項１４】
前記相対固定部分及び前記皮膚接触部分は、離間した角度位置において戻り止め作用を提供するそれぞれの戻り止め要素（８６）を含む、請求項１３に記載の皮膚穿通デバイス。
【請求項１５】
相対的に移動可能な部材の相対的な回転が制限されるように、停止面（７１，７２）が前記カム面に関連付けられる、請求項１３または１４に記載の皮膚穿通デバイス。
【請求項１６】
前記断続的なカム面（６１，６３）は、軸線に対して螺旋状の経路を形成しており、
前記断続的なカム面は、交互に設けられた反対向きのカム面要素（６１，６３）を含んでおり、前記カム面要素（６１，６３）が前記カム従動子のカム軌道を一緒に形成している、請求項１３〜１５のいずれか１つに記載の皮膚穿通デバイス。
【請求項１７】
前記カム面要素の周方向の範囲は、前記カム従動子（８８）の周方向の範囲よりも小さくされる、請求項１６に記載の皮膚穿通デバイス。
【請求項１８】
前記カム面（６１，６３）及び前記カム従動子（８８）の少なくともいずれか一方は、軸線方向の荷重を加えることによって前記カム従動子（８８）を前記カム軌道に導入することが可能になるように弾性変形可能である、請求項１６または１７に記載の皮膚穿通デバイス。
【請求項１９】
前記カム従動子（８８）が前記皮膚接触部分（７０）に設けられており、前記カム面（６１，６３）が前記相対固定部分（６６）に設けられている、請求項１３〜１８のいずれか１つに記載の皮膚穿通デバイス。
【請求項２０】
ハウジング（１０，１２）と、
使用中にランセットを受容する前方部分を有していて前記ハウジング内に移動可能に装着されるランセット保持部（２４）と、
前記ランセット保持部からのランセットの解放を可能にするように移動されるランセット解放要素（４０，４２）と、
駆動バネの作用による前記ランセット保持部（２４）の移動に対して前記ランセット保持部（２４）をラッチ留めする動作、及び前記ランセット保持部（２４）が駆動バネ（２２）の作用を受けて移動するように前記ランセット保持部（２４）を解放する動作を実行可能であるトリガ配列体と、を含む穿刺デバイスであって、
前記トリガ配列体は、前記ランセット保持部（２４）がラッチ留めされるときに発射準備が完了した起動可能状態にされるトリガ要素（１６）を備えており、
前記ランセット保持部（２４）がラッチ留めされて前記トリガ配列体が前記起動可能状態にされると、前記トリガ配列体が、ランセットを解放する前記ランセット解放要素（４０，４２）の有効な移動を阻止するようになる、穿刺デバイス。
【請求項２１】
前記トリガ要素（１６）が前記起動可能状態にされると、前記トリガ要素（１６）が前記ハウジングの表面から突出するようになっており、
前記ランセット解放要素（４０，４２）は、外部からアクセス可能であり手動により操作可能である制御要素（１４）を備えており、
前記起動可能状態にされた前記トリガ要素が前記制御要素の突出した経路に位置する、請求項２０に記載の穿刺デバイス。